(57)【要約】【課題】  適切な感度で被検眼を測定できるＯＣＴ装置、およびＯＣＴ制御プログラムを提供する。【解決手段】  被検眼を撮影するＯＣＴ装置であって、波長掃引型光源から出射された測定光が前記被検眼によって反射した反射光と、前記測定光に対応する参照光と、の干渉状態に基づいてＯＣＴ信号を取得するＯＣＴ光学系と、前記ＯＣＴ光学系のフォーカス位置を、前記ＯＣＴ光学系の光軸方向に調整する調整手段と、前記調整手段を制御する制御手段と、を備え、前記制御手段は、前記フォーカス位置を、前記ＯＣＴ光学系のゼロディレイ位置とは前記光軸方向に異なる位置に配置させることを特徴とする。【選択図】  図３
2019134908.tif 000002
【特許請求の範囲】
【請求項１】
被検眼を撮影するＯＣＴ装置であって、
波長掃引型光源から出射された測定光が前記被検眼によって反射した反射光と、前記測定光に対応する参照光と、の干渉状態に基づいてＯＣＴ信号を取得するＯＣＴ光学系と、
前記ＯＣＴ光学系のフォーカス位置を、前記ＯＣＴ光学系の光軸方向に調整する調整手段と、
前記調整手段を制御する制御手段と、を備え、
前記制御手段は、前記フォーカス位置を、前記ＯＣＴ光学系のゼロディレイ位置とは前記光軸方向に異なる位置に配置させることを特徴とするＯＣＴ装置。
【請求項２】
前記制御手段は、前記フォーカス位置を水晶体後面付近に配置させることを特徴とする請求項１のＯＣＴ装置。
【請求項３】
前記制御手段は、前記ゼロディレイ位置を角膜、または前記角膜と前記ＯＣＴ装置の間に配置させることを特徴とする請求項１または２のＯＣＴ装置。
【請求項４】
前記制御手段は、前記被検眼に応じてフォーカス位置を変化させることを特徴とする請求項１〜３のいずれかのＯＣＴ装置。
【請求項５】
前記制御手段は、前記被検眼の眼球形状または混濁状況に応じてフォーカス位置を変化させることを特徴とする請求項４のＯＣＴ装置。
【請求項６】
前記制御手段は、前記被検眼の水晶体後面付近にフォーカス位置を変化させることを特徴とする請求項４または５のＯＣＴ装置。
【請求項７】
前記制御手段は、前記被検眼に挿入されたＩＯＬの位置にフォーカス位置を変化させることを特徴とする請求項４または５のＯＣＴ装置。
【請求項８】
前記制御手段は、フォーカス位置を変化させながら取得した複数のＯＣＴ信号をマージすることを特徴とする請求項４または５のＯＣＴ装置。
【請求項９】
前記制御手段は、フォーカス位置を変化させながら取得した複数のＯＣＴ信号の中から任意のＯＣＴ信号のみを表示手段に表示させることを特徴とする請求項４または５のＯＣＴ装置。
【請求項１０】
前記制御手段は、初期状態のフォーカス位置で撮影されたＯＣＴ信号に基づいて、前記被検眼に応じたフォーカス位置を算出することを特徴とする請求項４または５のＯＣＴ装置。
【請求項１１】
被検眼を撮影するＯＣＴ装置において実行されるＯＣＴ制御プログラムであって、前記ＯＣＴ装置のプロセッサによって実行されることで、
ＯＣＴ光学系を制御し、波長掃引型光源から出射された測定光が前記被検眼によって反射した反射光と、前記測定光に対応する参照光と、の干渉状態に基づいてＯＣＴ信号を取得する取得ステップと、
前記ＯＣＴ光学系のフォーカス位置をゼロディレイ位置とは光軸方向に異なる位置に配置する調整ステップと、
を前記ＯＣＴ装置に実行させることを特徴とするＯＣＴ制御プログラム。
【発明の詳細な説明】
【技術分野】
【０００１】
被検眼を撮影するためのＯＣＴ装置、およびＯＣＴ制御プログラムに関する。
【背景技術】
【０００２】
従来、被検眼の眼軸長等の眼内距離を測定するためにＯＣＴ(Optical coherence tomography)装置が利用されている。例えば、ＳＤ（Spectral Domain）−ＯＣＴの場合、光路長を変化させることによって被検眼の各部位（角膜、水晶体、網膜など）をそれぞれ撮影し、各画像から検出された各部位の位置関係を求めることで、被検眼の眼内距離を算出する。
【先行技術文献】
【特許文献】
【０００３】
【特許文献１】特開２０１２−１８３１５２号公報
【発明の概要】
【発明が解決しようとする課題】
【０００４】
ところで、波長掃引光源を用いたＳＳ（Swept Source）−ＯＣＴの場合、被検眼の前眼部全体を一度に撮影することができる。しかしながら、ＳＳ−ＯＣＴによって前眼部全体を撮影した場合、ゼロディレイ位置およびフォーカス位置などの影響で水晶体後面のＯＣＴ感度が低下する場合があった。
【０００５】
本開示は、従来の問題点に鑑み、適切な感度で被検眼を測定できるＯＣＴ装置、およびＯＣＴ制御プログラムを提供することを技術課題とする。
【課題を解決するための手段】
【０００６】
上記課題を解決するために、本開示は以下のような構成を備えることを特徴とする。
【０００７】
（１）  被検眼を撮影するＯＣＴ装置であって、波長掃引型光源から出射された測定光が前記被検眼によって反射した反射光と、前記測定光に対応する参照光と、の干渉状態に基づいてＯＣＴ信号を取得するＯＣＴ光学系と、前記ＯＣＴ光学系のフォーカス位置を、前記ＯＣＴ光学系の光軸方向に調整する調整手段と、前記調整手段を制御する制御手段と、を備え、前記制御手段は、前記フォーカス位置を、前記ＯＣＴ光学系のゼロディレイ位置とは前記光軸方向に異なる位置に配置させることを特徴とする。
（２）  被検眼を撮影するＯＣＴ装置において実行されるＯＣＴ制御プログラムであって、前記ＯＣＴ装置のプロセッサによって実行されることで、ＯＣＴ光学系を制御し、波長掃引型光源から出射された測定光が前記被検眼によって反射した反射光と、前記測定光に対応する参照光と、の干渉状態に基づいてＯＣＴ信号を取得する取得ステップと、前記ＯＣＴ光学系のフォーカス位置をゼロディレイ位置とは光軸方向に異なる位置に配置する調整ステップと、を前記ＯＣＴ装置に実行させることを特徴とする。
【図面の簡単な説明】
【０００８】
【図１】本実施例に係るＯＣＴ装置の構成について説明する概略構成図である。
【図２】本実施例の制御動作を示すフローチャートである。
【図３】測定結果の一例を示す図である。
【発明を実施するための形態】
【０００９】
以下、本開示に係る実施形態を図面に基づいて説明する。本実施形態のＯＣＴ装置（例えば、眼軸長測定装置２００）は、被検眼を撮影する。ＯＣＴ装置は、例えば、ＯＣＴ光学系（例えば、ＯＣＴ光学系１００）と、調整部（フォーカスレンズ１２４および駆動部１２５など）と、制御部（例えば、制御部８０）を備える。ＯＣＴ光学系は、例えば、波長掃引型光源から出射された測定光が被検眼によって反射した反射光と、測定光に対応する参照光と、の干渉状態に基づいてＯＣＴ信号を取得する。調整部は、ＯＣＴ光学系のフォーカス位置を、ＯＣＴ光学系の光軸方向に調整する。制御部は、調整部を制御する。例えば、制御部は、フォーカス位置を、ＯＣＴ光学系のゼロディレイ位置とは光軸方向に異なる位置に配置させる。
【００１０】
以上のような構成を備えることによって、ＯＣＴ装置は、フォーカス位置とゼロディレイ位置との影響によってＯＣＴ感度がばらつくことを抑制できる。
【００１１】
なお、制御部は、フォーカス位置を水晶体後面付近に配置させてもよい。水晶体後面付近とは、例えば、少なくとも水晶体前面よりも眼底側かつ硝子体中心部より前眼側である。これによって、ＯＣＴ装置は、水晶体後面のＯＣＴ感度を上げることができ、角膜及び水晶体等の被検眼の各面をバランスよく検出することができる。
【００１２】
なお、制御部は、被検眼が所定の作動距離に配置された状態において、ゼロディレイ位置を角膜、または角膜とＯＣＴ装置の間に配置させてもよい。これによって、ＯＣＴ装置は、ＯＣＴ画像が眼球内での折り返すことを防ぐことができる。
【００１３】
なお、制御部は、ゼロディレイ位置を固定した状態で、被検眼に応じてフォーカス位置を変化させてもよい。例えば、制御部は、被検眼の眼球形状または混濁状況に応じてフォーカス位置を変化させてもよい。例えば、制御部は、被検眼の水晶体後面付近にフォーカス位置を変化させてもよいし、被検眼に挿入されたＩＯＬの位置にフォーカス位置を変化させてもよい。例えば、制御部は、ＯＣＴ信号から水晶体後面またはＩＯＬの位置を検出し、その位置にフォーカス位置を合わせてもよい。また、例えば、制御部は、角膜、水晶体前面、および水晶体後面におけるＯＣＴ信号の強度（例えば、ピーク値）がすべて所定条件を満たすようにフォーカス位置を変化させてもよい。例えば、制御部は、各部位のＯＣＴ信号の強度が所定値以上となるようにフォーカス位置を変化させてもよい。また、例えば、制御部は、各部位のＯＣＴ信号の強度の差、または標準偏差などが所定未満となるようにフォーカス位置を変化させてもよい。このように、被検眼に応じてフォーカス位置を変化させることによって、眼球形状または混濁状況が異なる場合であっても、各被検眼に適したＯＣＴ画像を撮影することができる。
【００１４】
なお、制御部は、フォーカス位置を変化させながら取得した複数のＯＣＴ信号をマージしてもよい。これによって、ＯＣＴ装置は、部位ごとに最適な位置の画像または信号をマージすることによって、１Ａ−ｓｃａｎよりも各部位のＯＣＴ感度が高い画像または信号を得ることができる。
【００１５】
なお、制御部は、フォーカス位置を変化させながら取得した複数のＯＣＴ信号の中から任意のＯＣＴ信号のみを表示部に表示させてもよい。例えば、最も良好な画像のみを表示部に表示させてもよい。これによって、検者は、複数の画像の中から良好な画像を探す手間が省ける。
【００１６】
なお、制御部は、初期状態のフォーカス位置で撮影されたＯＣＴ信号に基づいて、被検眼に応じたフォーカス位置を算出してもよい。これによって、ＯＣＴ装置は、フォーカスレンズを少しずつずらしながら撮影しなくてもよくなり、測定時間全体を短縮することができる。
【００１７】
なお、ＯＣＴ装置のプロセッサ（例えば、制御部８０）は、記憶部（例えば、メモリ８５）に記憶されたＯＣＴ制御プログラムを実行してもよい。ＯＣＴ制御プログラムは、例えば、取得ステップと、調整ステップを含む。取得ステップは、例えば、ＯＣＴ光学系を制御し、波長掃引型光源から出射された測定光が被検眼によって反射した反射光と、測定光に対応する参照光と、の干渉状態に基づいてＯＣＴ信号を取得するステップである。調整ステップは、例えば、ＯＣＴ光学系のフォーカス位置をゼロディレイ位置とは光軸方向に異なる位置に配置するステップである。
【００１８】
＜実施例＞
以下、本開示に係る眼軸長測定装置２００を図面に基づいて説明する。図１は本実施例に係る眼軸長測定装置２００の光学系について示す概略構成図である。以下の光学系は、図示無き筐体に内蔵されている。その筐体は、周知のアライメント駆動機構の駆動によって、被検眼Ｅに対して３次元的に移動される。被検者の顔は図示無き顔支持部によって支持される。なお、以下の説明においては、被検眼Ｅの光軸方向をＺ方向、水平方向をＸ方向、鉛直方向をＹ方向として説明する。眼底の表面方向をＸＹ方向として考えてもよい。
【００１９】
以下の説明においては、光コヒーレンストモグラフィーデバイス（ＯＣＴデバイス）５と、を備えた眼軸長測定装置２００を例に挙げて説明する。ＯＣＴデバイス５は、眼Ｅの眼軸長を測定するために用いられる。角膜形状測定デバイス３００は、角膜形状を測定するために用いられる。
【００２０】
ＯＣＴデバイス５は、干渉光学系（ＯＣＴ光学系）１００を備えている。ＯＣＴ光学系１００は、眼Ｅに測定光を照射する。ＯＣＴ光学系１００は、被検眼の前眼部または眼底から反射された測定光と，参照光との干渉状態を受光素子（検出器１２０）によって検出する。ＯＣＴ光学系１００は、被検眼上の撮像位置を変更するための走査部（例えば、光スキャナ１０８）を備えてもよい。制御部８０は、設定された撮像位置情報に基づいて走査部の動作を制御し、検出器１２０によってスペクトル干渉信号を取得する。
【００２１】
ＯＣＴ光学系１００は、いわゆる眼科用光断層干渉計（ＯＣＴ：Optical coherence tomography）の装置構成を持つ。ＯＣＴ光学系１００は、測定光源１０２から出射された光をカップラー（光分割器）１０４によって測定光（試料光）と参照光に分割する。そして、ＯＣＴ光学系１００は、測定光学系１０６によって測定光を被検眼に導き，また、参照光を参照光学系１１０に導く。その後、被検眼によって反射された測定光と，参照光との合成による干渉光を検出器（受光素子）１２０に受光させる。
【００２２】
光源１０２から出射された光は、カップラー１０４によって測定光束と参照光束に分割される。そして、測定光束は、光ファイバを通過した後、空気中へ出射される。その光束は、コリメートレンズ１２３、フォーカスレンズ１２４、光スキャナ１０８、及び測定光学系１０６の他の光学部材を介して前眼部に集光される。そして、被検眼で反射された光は、同様の光路を経て光ファイバに戻される。
【００２３】
コリメートレンズ１２３は、光ファイバから出射された測定光束を平行光にする。フォーカスレンズ１２４は、駆動部１２５によって光軸方向に移動されることで、測定光学系１０６のフォーカス位置を調整する。
【００２４】
光スキャナ１０８は、眼Ｅ上でＸＹ方向（横断方向）に測定光を走査させる。光スキャナ１０８は、例えば、２つのガルバノミラーであり、その反射角度が駆動機構１０９によって任意に調整される。
【００２５】
これにより、光源１０２から出射された光束はその反射（進行）方向が変化され、眼Ｅ上で任意の方向に走査される。これにより、被検眼上における撮像位置が変更される。光スキャナ１０８としては、光を偏向させる構成であればよい。例えば、反射ミラー（ガルバノミラー、ポリゴンミラー、レゾナントスキャナ）の他、光の進行（偏向）方向を変化させる音響光学素子（ＡＯＭ）等が用いられる。
【００２６】
参照光学系１１０は、眼Ｅでの測定光の反射によって取得される反射光と合成される参照光を生成する。参照光学系１１０は、マイケルソンタイプであってもよいし、マッハツェンダタイプであっても良い。参照光学系１１０は、例えば、反射光学系（例えば、参照ミラー）によって形成され、カップラー１０４からの光を反射光学系により反射することにより再度カップラー１０４に戻し、検出器１２０に導く。他の例としては、参照光学系１１０は、透過光学系（例えば、光ファイバー）によって形成され、カップラー１０４からの光を戻さず透過させることにより検出器１２０へと導く。
【００２７】
参照光学系１１０は、参照光路中の光学部材を移動させることにより、測定光と参照光との光路長差を変更する構成を有する。例えば、参照ミラーが光軸方向に移動される。光路長差を変更するための構成は、測定光学系１０６の測定光路中に配置されてもよい。
【００２８】
検出器１２０は、測定光と参照光との干渉状態を検出する。フーリエドメインＯＣＴの場合では、干渉光のスペクトル強度が検出器１２０によって検出され、スペクトル強度データに対するフーリエ変換によって所定範囲における深さプロファイル（ＯＣＴデータ）が取得される。ここで、制御部８０は、光スキャナ１０８により測定光を被検眼上で所定の横断方向に走査することにより断層像を取得してもよい。例えば、Ｘ方向もしくはＹ方向に走査することにより、被検眼のＸＺ面もしくはＹＺ面における断層像を取得できる。なお、取得された被検眼の断層画像は、制御部８０に接続されたメモリ８５に記憶される。さらに、測定光をＸＹ方向に二次元的に走査することにより、被検眼前眼部の三次元画像を取得することも可能である。
【００２９】
本実施例のＯＣＴ光学系１００は、ＳＳ（Swept Source）−ＯＣＴが採用されている。ＳＳ−ＯＣＴの場合、光源１０２として出射波長を時間的に高速で変化させる波長掃引型光源（波長可変光源）が用いられる。光源１０２の波長掃引幅は、例えば、７ｎｍである。検出器１２０は、例えば、受光素子である。光源１０２は、例えば、光源、ファイバーリング共振器、及び波長選択フィルタによって構成される。そして、波長選択フィルタとして、例えば、回折格子とポリゴンミラーの組み合わせ、ファブリー・ペローエタロンを用いたものが挙げられる。
【００３０】
また、眼軸長測定装置２００は、ケラト投影光学系５０、アライメント投影光学系４０、前眼部正面撮像光学系３０等を備えてもよい。
【００３１】
ケラト投影光学系５０は、測定光軸Ｏ１を中心に配置されたリング状の光源５１を有し、被検眼角膜にリング指標を投影して角膜形状（曲率、乱視軸角度、等）を測定するために用いられる。なお、光源５１には、例えば、赤外光または可視光を発するＬＥＤが使用される。なお、投影光学系５０について、光軸Ｏ１を中心とする同一円周上に少なくとも３つ以上の点光源が配置されていればよく、間欠的なリング光源であってもよい。さらに、複数のリング指標を投影するプラチド指標投影光学系であってもよい。
【００３２】
アライメント投影光学系４０は、光源５１の内側に配置され、赤外光を発する投影光源４１（例えば、λ＝９７０ｎｍ）を有し、被検眼の角膜Ｅｃにアライメント指標を投影するために用いられる。そして、角膜Ｅｃに投影されたアライメント指標は、被検眼に対する位置合わせ（例えば、自動アライメント、アライメント検出、手動アライメント、等）に用いられる。本実施形態において、投影光学系５０は、被検眼の角膜Ｅｃに対してリング指標を投影する光学系であって、リング指標は、マイヤーリングも兼用する。また、投影光学系４０の光源４１は、前眼部を斜め方向から赤外光にて照明する前眼部照明を兼用する。なお、投影光学系４０において、さらに、角膜Ｅｃに平行光を投影する光学系を設け、投影光学系４０による有限光との組合せにより前後のアライメントを行うようにしてもよい。
【００３３】
正面撮像光学系３０は、前眼部正面像を撮像（取得）するために用いられる。正面撮像光学系３０は、ダイクロイックミラー３３、対物レンズ４７、ダイクロイックミラー６２、フィルタ３４、撮像レンズ３７、二次元撮像素子３５、を含み、被検眼の前眼部正面像を撮像するために用いられる。二次元撮像素子３５は、被検眼前眼部と略共役な位置に配置されている。
【００３４】
前述の投影光学系４０、投影光学系５０による前眼部反射光は、ダイクロイックミラー３３、対物レンズ４７、ダイクロイックミラー６２、フィルタ３４、及び撮像レンズ３７を介して二次元撮像素子３５に結像される。
【００３５】
光源１は、固視灯である。また、例えば、光源１から発せられた光の前眼部での反射により取得される前眼部反射光の一部は、ダイクロイックミラー３３で反射され、正面撮像光学系３０で結像される。
【００３６】
次に、制御系について説明する。制御部８０は、装置全体の制御及び測定結果の算出を行う。制御部８０は、ＯＣＴデバイス５の各部材、角膜形状測定デバイス３００の各部材、モニタ７０、操作部８４、メモリ８５、等と接続されている。
【００３７】
また、操作部８４には、操作入力部として、マウス等の汎用インターフェースが用いられてもよいし、その他、タッチパネルが用いられてもよい。
【００３８】
メモリ８５には、各種制御プログラムの他、制御部８０が解析を行うための解析プログラム等が記憶されている。
【００３９】
＜制御動作＞
以上のような構成を備える装置において、眼軸長測定を行う場合の制御動作を図２に基づいて説明する。図２は、眼軸長測定の流れを示すフローチャートである。
【００４０】
（ステップＳ１：アライメント）
まず、検者は、モニタ７０に表示される被検眼のアライメント状態を見ながら、図示なきジョイスティック等の操作手段を用いて、装置を上下左右及び前後方向に移動させ、装置を被検眼Ｅに対して所定の位置関係に置く。このとき、検者は、被検者に固視標を固視させておく。
【００４１】
アライメントの際には、光源４１及び光源５１が点灯される。例えば、検者は、モニタ７０に電子的に表示されたレチクルと、光源４１によるリング指標が同心円状になるように上下左右のアライメントを行う。これによって、被検眼の角膜頂点に本装置の光軸Ｏ１が通るようにＸＹ方向にアライメントされる。また、検者は、リング指標のピントが合うように、前後のアライメントを行う。なお、制御部８０は、正面撮像光学系３０によって撮影された前眼部正面像に基づいて、自動でアライメントを行ってもよい。
【００４２】
（ステップＳ２：撮影およびフォーカス位置調整）
アライメントが完了すると、制御部８０は、ＯＣＴ画像の撮影を開始する。制御部８０は、まず、初期状態での撮影を行う。初期状態では、例えば、フォーカスレンズ１２４は、初期位置に配置されている。このとき、ＯＣＴ光学系１００のフォーカス位置は、ゼロディレイ（Zero delay）位置と同じ位置であってもよい。ゼロディレイ位置とは、例えば、測定光路長と参照光路長が一致する位置である。一般的に、ゼロディレイ位置から離れるにしたがってＯＣＴ感度は下がる。また、フォーカス位置から離れるにしたがって、デフォーカスの影響のためＯＣＴ感度は下がる。例えば、ゼロディレイ位置とフォーカス位置が角膜付近に配置される場合、眼底側にいくにしたがってＯＣＴ感度は下がる。なお、ゼロディレイ位置を境界として、正規の画像と折り返し画像が取得される。本実施例の場合、ゼロディレイ位置は、角膜の前面、またはその少し上流（装置側）に配置される（図３左端の位置Ｄに相当）。これによって、眼球内での折り返しを防ぐことができる。
【００４３】
制御部８０は、駆動部１２５によってフォーカスレンズ１２４を初期位置から移動させながらＯＣＴ画像の撮影を行う。つまり、制御部８０は、ＯＣＴ光学系１００のフォーカス位置をずらしながら繰り返し撮影を行い、フォーカス状態の異なる複数のＯＣＴ画像を取得する。このとき、ゼロディレイ位置Ｄは、角膜前面またはその少し上流から変化させないため、ＯＣＴ光学系１００の光路長またはカップラー１０４のファイバ長は変更しなくてもよい。
【００４４】
図３は、フォーカス位置をずらしながら撮影した同一被検眼の測定結果を示す。図３（ａ）は角膜面Ｃにフォーカス位置Ｐ１を配置したときの測定結果であり、水晶体後面Ｌｒの信号は弱い。図３（ｂ）は水晶体前面Ｌｆにフォーカス位置Ｐ２を配置したときの測定結果であり、図３（ａ）と同様に水晶体後面Ｌｒの信号は弱い。図３（ｃ）は水晶体後面Ｌｒにフォーカス位置Ｐ３を配置したときの測定結果であり、水晶体後面の信号が強く出ている。一方で角膜面Ｃの信号は、図３（ａ），（ｂ）と比べると弱くなっているが、元々角膜の信号強度は強いため、検出が困難になるほどではない。図３（ｄ）は硝子体内にフォーカス位置Ｐ４を配置したときの測定結果だが、この場合、前眼部の必要な信号強度が得られていない。したがって、フォーカス位置は水晶体後面付近が適している。なお、水晶体後面付近とは、例えば、少なくとも水晶体前面よりも眼底側で硝子体中心部より前眼側である。
【００４５】
制御部８０は、フォーカス位置が水晶体後面付近に配置され、図３（ｃ）のように、前眼部の各面の信号がバランスよく取得されるまで、フォーカス位置をずらしながら繰り返し撮影を行う。なお、水晶体後面の位置またはベストフォーカス位置は、眼球形状によって被検者毎に異なる。また、ベストフォーカス位置は、被検眼の混濁状況によっても異なる。例えば、被検眼の一部が混濁している場合、各部位に対するＯＣＴ感度が変化する。このような場合、上記のように、フォーカス位置を徐々にずらしながらＯＣＴ撮影を行うことによって、被検者毎に適したフォーカス位置で撮影できる。もちろん、フォーカス位置は、ゼロディレイ位置とは異なる位置に固定されてもよい。
【００４６】
なお、制御部８０は、初期状態のフォーカス位置で最初の１枚を撮影し、そのときの画像（信号）からベストフォーカス位置を算出してもよい。この場合、ベストフォーカス位置の算出は、水晶体後面を基準としてもよいし、ＩＯＬ挿入眼であればＩＯＬ後面でもよい。また、制御部８０は、全ての部位の信号バランスが取れるような演算式によってベストフォーカス位置を算出してもよい。このように、所定のフォーカス状態で撮影された１枚のＯＣＴ信号に基づいてベストフォーカス位置を算出することによって、フォーカスレンズ１２４を少しずつずらしながら複数枚撮影する必要がなくなるため、測定全体の時間短縮となる。
【００４７】
なお、フォーカス位置を移動させる場合、フォーカスレンズ１２４のみの可動に限定する必要はない。例えば、ファイバ端１２２とコリメートレンズ１２３の間隔を変えてもよいし、作動距離と光路長を同時に変化させてもよい。
【００４８】
（ステップＳ３：眼内距離算出）
制御部８０は、良好なＯＣＴ画像が撮影できると、ＯＣＴ画像（信号）から眼内距離を算出する。例えば、制御部８０は、ＯＣＴ画像に基づいて角膜前面、角膜後面、水晶体前面、水晶体後面、および網膜等の各部の位置を検出し、角膜厚、前房深度、水晶体厚、眼軸長等の眼内距離を算出する。もちろん、各部位の曲率等を算出してもよい。
【００４９】
なお、制御部８０は、各部位の信号強度が最も大きくなるようにそれぞれの画像（信号）をマージしてもよい。例えば、図３（ａ）の角膜面Ｃの信号と、図３（ｂ）の水晶体前面Ｌｆの信号と、図３（ｃ）の水晶体後面Ｌｒの信号とをマージしてもよい。これによって、１Ａ−ｓｃａｎで得られるよりも感度の高い信号を取得できる。なお、フォーカスレンズ１２４を移動させても光路長は変化しないため、各信号を容易にマージすることができる。制御部８０は、マージしたＯＣＴ信号に基づいて眼内距離を算出してもよい。
【００５０】
（ステップＳ４：測定結果表示）
制御部８０は、眼内距離の算出結果、およびＯＣＴ画像等を表示部７０に表示させる。このとき、制御部８０は、フォーカスを変化させながら撮影した複数のＯＣＴ信号の中から任意の信号を表示させてもよい。例えば、制御部８０は、良好な撮影画像（例えば、ベストショット）のみをユーザに提示してもよい。これによって、検者は良好な撮影画像を探す手間が省ける。
【００５１】
以上のように、本実施例のＯＣＴ装置は、フォーカス位置とゼロディレイ位置を異なる位置にすることでＯＣＴ感度のばらつきを抑えることができる。例えば、フォーカス位置を水晶体後面付近にすることによって、角膜、水晶体の各面をバランス良く検出することができる。これによって、後方散乱の強度が低い水晶体後面も検出できるようになり、水晶体厚または水晶体後面曲率等を測定できる。また、反射が強い角膜前面でサチレーションすることを防ぐことができる。
【００５２】
なお、フォーカスの初期位置は、ゼロディレイ位置と同じ位置に限らず、例えば、水晶体後面付近をフォーカスの初期位置としてもよい。この場合、被検眼によって水晶体後面付近の位置は異なるため、おおよそ平均的な眼の水晶体後面付近の位置が初期位置として設定されてもよい。これによって、ベストフォーカス位置の算出が容易となる。
【符号の説明】
【００５３】
５  光コヒーレンストモグラフィーデバイス
３０  前眼部正面撮像光学系
４０  アライメント投影光学系
５０  ケラト投影光学系
７０  モニタ
８０  制御部
８５  メモリ
８４  操作部
【図１】
2019134908.tif 000003
【図２】
2019134908.tif 000004
【図３】
2019134908.tif 000005